(57)【要約】【課題】読取結果の確認に必要なユーザの待ち時間が短い読取装置，情報処理装置および読取システムを提供すること。【解決手段】ＭＦＰ２００およびモバイルデバイス１００は，それぞれ近距離通信と遠距離通信との両方に対応している。また，ＭＦＰ２００は，原稿の画像を読み取らせる処理として，読取処理と，読取処理よりも簡易な読取条件で先行読取処理とを実行する。そして，ＭＦＰ２００は，モバイルデバイス１００との間で近距離通信が確立した場合，先ず，近距離通信によって，遠距離通信の確立に利用する接続情報と，先行読取処理での読取結果とをモバイルデバイス１００に送信する。その後，その接続情報を利用して，遠距離通信を確立させる。また，遠距離通信によって，読取処理での読取結果をモバイルデバイス１００に送信する。【選択図】            図７
2014086985.tif 000002
【特許請求の範囲】
【請求項１】
第１の通信方式に従って無線通信を行う第１通信部と，
前記第１の通信方式よりも通信距離が長い第２の通信方式に従って無線通信を行う第２通信部と，
原稿の画像を読み取る読取部と，
制御部と，
を備え，
前記制御部は，
前記読取部に原稿の画像を読み取らせる読取処理と，
前記読取処理よりも先に，前記読取処理よりも簡易な読取条件で前記読取部に前記原稿の画像を読み取らせる簡易読取と，前記読取部に前記原稿の一部の画像を読み取らせる一部読取と，の少なくとも一方を行う先行読取処理と，
情報処理装置との間に，前記第１の通信方式に従う無線通信である近距離通信が確立した場合，前記近距離通信によって，前記第２の通信方式に従う無線通信である遠距離通信の確立に利用する接続情報と前記先行読取処理での読取結果とを，前記情報処理装置に送信する先行送信処理と，
前記先行送信処理の後，前記接続情報を利用して，前記情報処理装置との間で前記遠距離通信を確立させる確立処理と，
前記確立処理の後，前記遠距離通信によって，前記読取処理での読取結果を前記情報処理装置に送信する後続送信処理と，
を実行することを特徴とする読取装置。
【請求項２】
請求項１に記載する読取装置において，
前記先行読取処理では，読取結果として，前記読取処理の読取設定によるイメージデータよりもデータサイズが小さいイメージデータを出力することを特徴とする読取装置。
【請求項３】
請求項１または請求項２に記載する読取装置において，
前記先行読取処理では，読取結果として，非イメージデータであり，読み取った画像から取得される原稿の特性データを出力することを特徴とする読取装置。
【請求項４】
請求項１から請求項３のいずれか１つに記載する読取装置において，
前記情報処理装置から前記読取処理による読取結果の送信指示を受け付ける受付部を備え，
前記後続送信処理では，前記送信指示を受け付けたことを条件として，前記読取処理による読取結果を前記情報処理装置に送信することを特徴とする読取装置。
【請求項５】
請求項４に記載する読取装置において，
前記読取処理では，前記送信指示を受け付けたことを条件として，前記読取部に原稿の画像を読み取らせることを特徴とする読取装置。
【請求項６】
請求項４に記載する読取装置において，
前記読取処理は，前記送信指示を受け付ける前から前記先行送信処理に連続して実行されることを特徴とする読取装置。
【請求項７】
請求項６に記載する読取装置において，
前記情報処理装置から前記読取処理による読取結果の削除指示を受け付ける削除受付部を備え，
前記制御部は，前記削除指示を受け付けた場合に，前記読取処理による読取結果を削除する削除処理を実行することを特徴とする読取装置。
【請求項８】
請求項６または請求項７に記載する読取装置において，
前記確立処理は，前記読取処理の実行に伴って，前記遠距離通信を確立させることを特徴とする読取装置。
【請求項９】
請求項４から請求項７のいずれか１つに記載する読取装置において，
前記確立処理は，前記送信指示の受け付けに伴って，前記遠距離通信を確立させることを特徴とする読取装置。
【請求項１０】
請求項１から請求項９のいずれか１つに記載する読取装置において，
原稿を載置する原稿台を備え，
前記読取部は，前記原稿台に載置された前記原稿の画像を読み取り，
前記先行読取処理では，前記読取処理よりも簡易な読取条件で前記読取部に前記原稿の画像を読み取らせる簡易読取と，前記原稿台に載置された前記原稿の一部分の画像を読み取らせる一部読取と，の少なくとも一方を行い，
前記読取処理では，前記先行読取処理で読取対象となった前記原稿の画像を前記読取部に読み取らせることを特徴とする読取装置。
【請求項１１】
請求項１から請求項１０のいずれか１つに記載する読取装置において，
複数枚の原稿を収容する原稿トレイと，
前記原稿トレイから原稿を１枚ずつ引き出し，引き出された原稿を前記読取部の読取位置に自動搬送する自動搬送部と，を備え，
前記先行読取処理では，前記原稿トレイに収容されている原稿のうち最初に引き出される原稿の画像を前記読取部に読み取らせ，
前記読取処理では，前記先行読取処理で読取対象となった原稿に後続する原稿の画像を前記読取部に読み取らせることを特徴とする読取装置。
【請求項１２】
原稿の画像を読み取る読取処理を実行する読取装置と接続する情報処理装置において，
前記読取装置に前記読取処理を実行させるジョブを受け付ける受付部と，
第１の通信方式に従って無線通信を行う第１通信部と，
前記第１の通信方式よりも通信距離が長い第２の通信方式に従って無線通信を行う第２通信部と，
制御部と，
を備え，
前記制御部は，
前記読取装置に実行させるジョブを受け付けた状態で，前記読取装置との間に，前記第１の通信方式に従う無線通信である近距離通信が確立した場合に，前記近距離通信によって，前記第２の通信方式に従う無線通信である遠距離通信の確立に利用する接続情報と，前記読取装置が前記読取処理よりも簡易な読取条件で前記原稿の画像を読み取る簡易読取と，前記原稿の画像の一部を読み取る一部読取と，の少なくとも一方の読み取りを行った結果である先行読取結果とを，前記読取装置から受信する先行受信処理と，
前記先行受信処理の後，前記接続情報を利用して，前記読取装置との間で前記遠距離通信を確立させる確立処理と，
前記確立処理の後，前記遠距離通信によって，前記原稿の画像の前記読取処理での読取結果を前記読取装置から受信する後続受信処理と，
を実行することを特徴とする情報処理装置。
【請求項１３】
請求項１２に記載する情報処理装置において，
前記制御部は，
前記先行受信処理の後，前記先行読取結果を表示する表示処理と，
前記表示処理の後，前記読取処理の実行指示のユーザからの入力を受け付ける指示受付処理と，
前記実行指示を受け付けた後，前記読取装置に前記読取処理の開始および前記読取処理の読取結果の送信を要求する読取要求を送信する送信処理と，
を実行することを特徴とする情報処理装置。
【請求項１４】
請求項１３に記載する情報処理装置において，
前記制御部は，前記先行受信処理の後，前記先行読取結果に基づいて前記読取処理での読取設定を決定する決定処理を実行し，
前記表示処理では，前記決定処理の後，前記決定処理にて決定された読取設定も表示することを特徴とする情報処理装置。
【請求項１５】
請求項１２に記載する情報処理装置において，
前記制御部は，
前記先行受信処理の後，前記読取処理の開始を要求する読取開始要求を前記読取装置に送信する先行送信処理と，
前記先行受信処理の後，前記先行読取結果を表示する表示処理と，
前記表示処理の後，前記読取処理による読取結果の送信指示についてユーザからの入力を受け付ける指示受付処理と，
前記送信指示を受け付けた後，前記読取処理による読取結果の送信を要求する送信指示を前記読取装置に送信する後続送信処理と，
を実行することを特徴とする情報処理装置。
【請求項１６】
請求項１５に記載する情報処理装置において，
前記制御部は，前記先行受信処理の後，前記先行読取結果に基づいて前記読取処理での読取設定を決定する決定処理を実行し，
前記先行送信処理では，前記決定処理の後，前記決定処理にて決定された読取設定による前記読取処理の開始を要求することを特徴とする情報処理装置。
【請求項１７】
情報処理装置と，原稿の画像を読み取る読取処理を実行する読取装置とを備える読取システムにおいて，
前記情報処理装置は，
前記読取装置に前記読取処理を実行させるジョブを受け付ける受付部と，
第１の通信方式に従って無線通信を行う命令側第１通信部と，
前記第１の通信方式よりも通信距離が長い第２の通信方式に従って無線通信を行う命令側第２通信部と，を備え，
前記読取装置は，
前記第１の通信方式に従って無線通信を行う処理側第１通信部と，
前記第２の通信方式に従って無線通信を行う処理側第２通信部と，
原稿の画像を読み取る読取部と，を備え，
前記読取装置に実行させるジョブの実行条件を満たしている状態で，前記情報処理装置と前記読取装置との間に，前記第１の通信方式に従う無線通信である近距離通信が確立した場合，
前記近距離通信によって，前記第２の通信方式に従う無線通信である遠距離通信の確立に利用する接続情報と，前記読取装置が前記読取処理よりも簡易な読取条件で前記原稿の画像を読み取る簡易読取と，前記原稿の画像の一部を読み取る一部読取と，の少なくとも一方の読み取りを行った結果である先行読取結果とを，前記情報処理装置と前記読取装置との間で受け渡す先行通信処理と，
前記先行読取結果の受け渡しを行った後，前記読取装置に前記読取処理を開始させる読取開始処理と，
前記接続情報の受け渡しを行った後，前記接続情報を利用して，前記情報処理装置と前記読取装置との間で前記遠距離通信を確立させる確立処理と，
前記確立処理の後，前記遠距離通信によって，前記原稿の画像の前記読取処理での読取結果を前記読取装置から前記情報処理装置に受け渡す後続通信処理と，
を行うことを特徴とする読取システム。
【発明の詳細な説明】
【技術分野】
【０００１】
本発明は，画像の読み取り機能を有する読取装置，情報処理装置および読取システムに関する。さらに詳細には，複数の無線通信方式を利用して，読取装置と情報処理装置との間でデータ通信を行ってジョブを実行する技術に関するものである。
【背景技術】
【０００２】
近年，スマートフォンやタブレットＰＣに代表される電子機器と，スキャナやプリンタに代表される画像処理装置との通信には，Bluetooth（登録商標），ＷｉＦｉ（登録商標），ＮＦＣ（Near Field Communication）等，複数の無線通信方式が採用されている。ところで，無線通信の技術においては，例えば，始めにＮＦＣを用いて認証情報あるいは設定情報を交換し，その後，ＮＦＣよりも高速で通信距離が長い他の通信方式に通信を切り換える，いわゆるハンドオーバー技術が提案されている。
【０００３】
例えば，特許文献１には，通信装置１と通信装置２とのデータ通信に関する技術であって，通信装置１は，始めに近距離無線通信によって通信装置２から通信方式と暗号化方式とを取得し，取得した通信方式および暗号化方式が通信装置１に定められた通信方式および暗号化方式に合致した場合には，その通信方式および暗号化方式で通信装置２とのデータ通信を行うことが開示されている。
【先行技術文献】
【特許文献】
【０００４】
【特許文献１】特開２００７−１６６５３８号公報
【発明の概要】
【発明が解決しようとする課題】
【０００５】
しかしながら，前記した従来の技術には，次のような問題があった。すなわち，ハンドオーバーを行って通信を確立させてから画像の読み取りを開始する場合，読取結果をユーザが情報処理装置で確認するには，通信方式を切り替えるための時間と，読み取ったイメージデータを情報処理装置が受け取るための時間とが必要となる。そのため，ユーザの待ち時間が長くなってしまう。
【０００６】
本発明は，前記した従来の技術が有する問題点を解決するためになされたものである。すなわちその課題とするところは，読取結果の確認に必要なユーザの待ち時間が短い読取装置，情報処理装置および読取システムを提供することにある。
【課題を解決するための手段】
【０００７】
この課題の解決を目的としてなされた読取装置は，第１の通信方式に従って無線通信を行う第１通信部と，前記第１の通信方式よりも通信距離が長い第２の通信方式に従って無線通信を行う第２通信部と，原稿の画像を読み取る読取部と，制御部とを備え，前記制御部は，前記読取部に原稿の画像を読み取らせる読取処理と，前記読取処理よりも先に，前記読取処理よりも簡易な読取条件で前記読取部に前記原稿の画像を読み取らせる簡易読取と，前記読取部に前記原稿の一部の画像を読み取らせる一部読取と，の少なくとも一方を行う先行読取処理と，情報処理装置との間に，前記第１の通信方式に従う無線通信である近距離通信が確立した場合，前記近距離通信によって，前記第２の通信方式に従う無線通信である遠距離通信の確立に利用する接続情報と前記先行読取処理での読取結果とを，前記情報処理装置に送信する先行送信処理と，前記先行送信処理の後，前記接続情報を利用して，前記情報処理装置との間で前記遠距離通信を確立させる確立処理と，前記確立処理の後，前記遠距離通信によって，前記読取処理での読取結果を前記情報処理装置に送信する後続送信処理とを実行することを特徴としている。
【０００８】
本明細書に開示される読取装置は，第１の通信方式に従う無線通信である近距離通信と，第２の通信方式に従う無線通信である遠距離通信との，両方に対応している。また，読取装置は，読取部に原稿の画像を読み取らせる処理として，読取処理と，読取処理よりも簡易な読取条件での読み取りあるいは原稿の一部の読み取りを行う先行読取処理とを実行する。先行読取処理の実行タイミングとしては，例えば，原稿のセット時や，近距離通信の確立時が該当する。読取装置は，情報処理装置との間で近距離通信が確立した場合，先ず，近距離通信によって，遠距離通信の確立に利用する接続情報と，先行読取処理での読取結果とを情報処理装置に送信する。その後，その接続情報を利用して，情報処理装置との間で遠距離通信を確立させる。そして，遠距離通信によって，読取処理での読取結果を情報処理装置に送信する。
【０００９】
すなわち，本明細書に開示される読取装置では，近距離通信時に，遠距離通信用の接続情報の受け渡しに加え，先行読取処理の読取結果も受け渡す。先行読取処理の読取結果は，簡易な読取条件によって得られたデータあるいは原稿の一部を読み取って得られたデータであり，読み取りにかかる時間が短い。この先行読取処理の読取結果を，遠距離通信によって読取処理の読取結果を送信する前に情報処理装置に送信することで，情報処理装置では読取装置での読取結果を早期に確認できる。
【００１０】
また，前記先行読取処理では，読取結果として，前記読取処理の読取設定によるイメージデータよりもデータサイズが小さいイメージデータを出力するとよい。データサイズが小さいイメージデータとしては，例えば，サムネイル画像，低解像度画像，モノクロ画像が該当する。読取結果としてイメージデータを取得することで，ユーザが画像内容をより簡単に確認できる。
【００１１】
また，前記先行読取処理では，読取結果として，非イメージデータであり，読み取った画像から取得される原稿の特性データを出力するとよい。特性データは，例えば，原稿傾き量，カラー情報，原稿サイズが該当する。読取結果として原稿の特性データを取得することで，ユーザが原稿の状態を確認できる。これにより，よりよい読取条件への変更が期待できる。また，イメージデータを取得する場合と比較して高速読み取りが可能であり，先行読取処理を早期に完了できる。
【００１２】
また，本明細書に開示される読取装置は，前記情報処理装置から前記読取処理による読取結果の送信指示を受け付ける受付部を備え，前記後続送信処理では，前記送信指示を受け付けたことを条件として，前記読取処理による読取結果を前記情報処理装置に送信するとよい。読取処理の読取結果の送信を，情報処理装置からの送信指示を受け付けてから行うことで，遠距離通信の無駄を回避できる。なお，送信指示は，読取処理の開始要求を兼ねる要求であってもよいし，開始要求とは別に，読取処理を開始した後に入力される要求であってもよい。
【００１３】
また，前記読取処理では，前記送信指示を受け付けたことを条件として，前記読取部に原稿の画像を読み取らせるとよい。読取処理を送信指示を待って行うことで，無駄な読み取り動作を行わなくて済む。
【００１４】
また，前記読取処理は，前記送信指示を受け付ける前から前記先行送信処理に連続して実行されてもよい。この構成によれば，読取処理をより早期に完了させることが期待できる。
【００１５】
また，上述した読取装置は，前記情報処理装置から前記読取処理による読取結果の削除指示を受け付ける削除受付部を備え，前記制御部は，前記削除指示を受け付けた場合に，前記読取処理による読取結果を削除する削除処理を実行するとよい。送信指示を受け付ける前から読取処理による読み取りを開始すると，情報処理装置にてその読み取りがキャンセルされた場合，読取装置側に残る読取結果が無駄になる。そのため，読取結果を削除する方が読取装置の資源を有効に活用できる。
【００１６】
また，前記確立処理は，前記読取処理の実行に伴って，前記遠距離通信を確立させるとよい。送信指示を受け付ける前から遠距離通信を確立させておくことで，送信指示を受け付けた際に，遠距離通信の確立に必要な時間を待つことなく，読取結果を直ちに送信することができる。
【００１７】
また，前記確立処理は，前記送信指示の受け付けに伴って，前記遠距離通信を確立させてもよい。送信指示に伴って遠距離通信を確立させることで，遠距離通信の無駄が少ない。
【００１８】
また，本明細書には，原稿を載置する原稿台を備え，前記読取部は，前記原稿台に載置された前記原稿の画像を読み取り，前記先行読取処理では，前記読取処理よりも簡易な読取条件で前記読取部に前記原稿の画像を読み取らせる簡易読取と，前記原稿台に載置された前記原稿の一部分の画像を読み取らせる一部読取と，の少なくとも一方を行い，前記読取処理では，前記先行読取処理で読取対象となった前記原稿の画像を前記読取部に読み取らせることを特徴とする読取装置が開示されている。
【００１９】
また，本明細書には，複数枚の原稿を収容する原稿トレイと，前記原稿トレイから原稿を１枚ずつ引き出し，引き出された原稿を前記読取部の読取位置に自動搬送する自動搬送部とを備え，前記先行読取処理では，前記原稿トレイに収容されている原稿のうち最初に引き出される原稿の画像を前記読取部に読み取らせ，前記読取処理では，前記先行読取処理で読取対象となった原稿に後続する原稿の画像を前記読取部に読み取らせることを特徴とする読取装置が開示されている。
【００２０】
また，本明細書には，原稿の画像を読み取る読取処理を実行する読取装置と接続する情報処理装置であって，前記読取装置に前記読取処理を実行させるジョブを受け付ける受付部と，第１の通信方式に従って無線通信を行う第１通信部と，前記第１の通信方式よりも通信距離が長い第２の通信方式に従って無線通信を行う第２通信部と，制御部とを備え，前記制御部は，前記読取装置に実行させるジョブを受け付けた状態で，前記読取装置との間に，前記第１の通信方式に従う無線通信である近距離通信が確立した場合に，前記近距離通信によって，前記第２の通信方式に従う無線通信である遠距離通信の確立に利用する接続情報と，前記読取装置が前記読取処理よりも簡易な読取条件で前記原稿の画像を読み取る簡易読取と，前記原稿の画像の一部を読み取る一部読取と，の少なくとも一方の読み取りを行った結果である先行読取結果とを，前記読取装置から受信する先行受信処理と，前記先行受信処理の後，前記接続情報を利用して，前記読取装置との間で前記遠距離通信を確立させる確立処理と，前記確立処理の後，前記遠距離通信によって，前記原稿の画像の前記読取処理での読取結果を前記読取装置から受信する後続受信処理とを実行することを特徴とする情報処理装置が開示されている。
【００２１】
また，本明細書に開示される情報処理装置の制御部は，前記先行受信処理の後，前記先行読取結果を表示する表示処理と，前記表示処理の後，前記読取処理の実行指示のユーザからの入力を受け付ける指示受付処理と，前記実行指示を受け付けた後，前記読取装置に前記読取処理の開始および前記読取処理の読取結果の送信を要求する読取要求を送信する送信処理とを実行するとよい。
【００２２】
また，本明細書に開示される情報処理装置の制御部は，前記先行受信処理の後，前記先行読取結果に基づいて前記読取処理での読取設定を決定する決定処理を実行し，前記表示処理では，前記決定処理の後，前記決定処理にて決定された読取設定も表示するとよい。先行読取結果を踏まえて情報処理装置が自動的に最適な読取設定を決定し，その読取設定を先行読取結果とともに表示することで，読取設定を変更するユーザの手間が減り，さらにその変更内容をユーザが認識することができる。
【００２３】
また，本明細書に開示される情報処理装置の制御部は，前記先行受信処理の後，前記読取処理の開始を要求する読取開始要求を前記読取装置に送信する先行送信処理と，前記先行受信処理の後，前記先行読取結果を表示する表示処理と，前記表示処理の後，前記読取処理による読取結果の送信指示についてユーザからの入力を受け付ける指示受付処理と，前記送信指示を受け付けた後，前記読取処理による読取結果の送信を要求する送信指示を前記読取装置に送信する後続送信処理とを実行してもよい。
【００２４】
また，本明細書に開示される情報処理装置の制御部は，前記先行受信処理の後，前記先行読取結果に基づいて前記読取処理での読取設定を決定する決定処理を実行し，前記先行送信処理では，前記決定処理の後，前記決定処理にて決定された読取設定による前記読取処理の開始を要求するとよい。先行読取結果を踏まえて情報処理装置が自動的に最適な読取設定を決定し，その読取設定にて読み取りを開始させる方が，ユーザの手間が少ない。
【００２５】
また，本明細書には，情報処理装置と，原稿の画像を読み取る読取処理を実行する読取装置とを備える読取システムであって，前記情報処理装置は，前記読取装置に前記読取処理を実行させるジョブを受け付ける受付部と，第１の通信方式に従って無線通信を行う命令側第１通信部と，前記第１の通信方式よりも通信距離が長い第２の通信方式に従って無線通信を行う命令側第２通信部とを備え，前記読取装置は，前記第１の通信方式に従って無線通信を行う処理側第１通信部と，前記第２の通信方式に従って無線通信を行う処理側第２通信部と，原稿の画像を読み取る読取部とを備え，前記読取装置に実行させるジョブの実行条件を満たしている状態で，前記情報処理装置と前記読取装置との間に，前記第１の通信方式に従う無線通信である近距離通信が確立した場合，前記近距離通信によって，前記第２の通信方式に従う無線通信である遠距離通信の確立に利用する接続情報と，前記読取装置が前記読取処理よりも簡易な読取条件で前記原稿の画像を読み取る簡易読取と，前記原稿の画像の一部を読み取る一部読取と，の少なくとも一方の読み取りを行った結果である先行読取結果とを，前記情報処理装置と前記読取装置との間で受け渡す先行通信処理と，前記先行読取結果の受け渡しを行った後，前記読取装置に前記読取処理を開始させる読取開始処理と，前記接続情報の受け渡しを行った後，前記接続情報を利用して，前記情報処理装置と前記読取装置との間で前記遠距離通信を確立させる確立処理と，前記確立処理の後，前記遠距離通信によって，前記原稿の画像の前記読取処理での読取結果を前記読取装置から前記情報処理装置に受け渡す後続通信処理とを行うことを特徴とする読取システムが開示されている。
【発明の効果】
【００２６】
本発明によれば，読取結果の確認に必要なユーザの待ち時間が短い読取装置，情報処理装置および読取システムが実現される。
【図面の簡単な説明】
【００２７】
【図１】実施の形態にかかる画像処理システムの構成を示すブロック図である。
【図２】実施の形態にかかる複合機（ＭＦＰ）の外観を示す斜視図（ＡＤＦ閉状態）である。
【図３】実施の形態にかかる複合機（ＭＦＰ）の外観を示す斜視図（ＡＤＦ開状態）である。
【図４】スキャンアプリケーションの初期画面を示す図である。
【図５】スキャンアプリケーションの読取プレビュー画面を示す図である。
【図６】スキャンアプリケーションの読取設定画面を示す図である。
【図７】ＦＢ方式の読取ジョブについて，第１の形態にかかる画像処理システムの読み取り手順を示すフローチャートである。
【図８】ＦＢ方式の読取ジョブについて，第２の形態にかかる画像処理システムの読み取り手順を示すフローチャートである。
【図９】ＦＢ方式の読取ジョブについて，第３の形態にかかる画像処理システムの読み取り手順を示すフローチャートである。
【図１０】ＡＤＦ方式の読取ジョブについて，画像処理システムの読み取り手順を示すフローチャートである。
【発明を実施するための形態】
【００２８】
以下，本実施形態にかかる読取システムについて，添付図面を参照しつつ詳細に説明する。本形態は，読取機能を有する複合機（ＭＦＰ：Multi Function Peripheral）と，ＭＦＰに読み取りを実行させる読取ジョブを受け付けるモバイルデバイスとを有する画像処理システムに本発明を適用したものである。
【００２９】
［画像処理システムの全体構成］
本形態の画像処理システム９００（読取システムの一例）は，図１に示すように，指定されたＭＦＰに読取ジョブを出力するモバイルデバイス１００（情報処理装置の一例）と，読取ジョブを実行するＭＦＰ２００（読取装置の一例）とを備えている。本形態の画像処理システム９００では，モバイルデバイス１００とＭＦＰ２００との間で，無線通信によってデータの受け渡しが可能になっている。
【００３０】
なお，ＭＦＰ２００に画像処理を実行させるジョブを投入する情報処理装置は，モバイルデバイス１００の他，何台接続されていてもよい。また，画像処理システム９００は，サーバあるいはアクセスポイントを備え，モバイルデバイス１００からサーバあるいはアクセスポイントを介してＭＦＰ２００と通信してもよい。
【００３１】
［ＭＦＰの構成］
続いて，ＭＦＰ２００の概略構成について説明する。ＭＦＰ２００は，図１に示したように，ＣＰＵ３１と，ＲＯＭ３２と，ＲＡＭ３３と，ＮＶＲＡＭ（Non Volatile RAM）３４とを備えた制御部３０を備えている。また，制御部３０は，用紙に画像を印刷する画像形成部１０と，原稿の画像を読み取る画像読取部１１（読取部の一例）と，動作状況の表示やユーザによる入力操作の受付を行う操作パネル４０と，ＮＦＣインターフェース３７（第１通信部の一例）と，無線ＬＡＮインターフェース３８（第２通信部の一例）とに，電気的に接続されている。
【００３２】
画像読取部１１は，カラー読み取りが可能であってもモノクロ読み取りのみが可能であってもよい。本形態では，カラー読み取りが可能なものとする。また，読み取り機構についても，ＣＣＤであってもＣＩＳであってもよい。
【００３３】
ＲＯＭ３２には，ＭＦＰ２００を制御するための制御プログラムであるファームウェアや各種設定，初期値等が記憶されている。ＲＡＭ３３およびＮＶＲＡＭ３４は，各種制御プログラムが読み出される作業領域として，あるいはデータを一時的に記憶する記憶領域として利用される。
【００３４】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ２００の各構成要素を制御する。
【００３５】
ＮＦＣインターフェース３７は，ＩＳＯ／ＩＥＣ２１４８１またはＩＳＯ／ＩＥＣ１８０９２の国際標準規格に基づいて，ＮＦＣ方式の無線通信を可能にするインターフェースである。ＭＦＰ２００は，ＮＦＣインターフェース３７を介して外部装置から送信されるデータを受信する。さらに，ＭＦＰ２００は，ＮＦＣインターフェース３７を介して外部装置にデータを送信する。
【００３６】
無線ＬＡＮインターフェース３８は，ＩＥＥＥの８０２．１１の規格およびそれに準ずる規格に基づいて，ＷｉＦｉダイレクト方式（ＷＦＤ方式）の無線通信を可能にするインターフェースである。ＮＦＣ方式とＷＦＤ方式とでは，通信方式（すなわち無線通信の規格）が異なり，ＷＦＤ方式の方がＮＦＣ方式よりも通信距離が長く通信速度も速い。ＭＦＰ２００は，無線ＬＡＮインターフェース３８を介して外部装置から送信されるデータを受信する。さらに，ＭＦＰ２００は，無線ＬＡＮインターフェース３８を介して外部装置にデータを送信する。
【００３７】
なお，ＷＦＤ方式は，ネットワークを管理するグループオーナー機器と，クライアント機器とでネットワークを構築し，そのネットワーク内でデータの受け渡しを可能にする通信方式である。そのため，無線ＬＡＮインターフェース３８を介して外部装置とデータ通信を行うには，当該外部装置と無線通信を確立させ，ＷＦＤネットワークを構築する必要がある。本形態では，ＭＦＰ２００がＷＦＤネットワークを構築する際のグループオーナー機器になり，モバイルデバイス１００がクライアント機器になる。クライアント機器はモバイルデバイス１００のみに限るものではなく，他のデバイスもクライアント機器としてＷＦＤネットワークに属することが可能である。ＭＦＰ２００は，クライアント機器の識別情報と，クライアント機器とＷＦＤ方式による無線通信を確立させるための接続情報とを記憶している。接続情報としては，例えば，ＷＦＤネットワークを識別するための識別子であるＳＳＩＤ（Service Set IDentifier）やパスワードが該当する。
【００３８】
操作パネル４０は，図２に示すようにＭＦＰ２００の外装に設けられ，ユーザ入力を受け付ける各種のボタンから構成される入力部４１と，メッセージや設定内容を表示する画面４２とを有している。各種のボタンとしては，例えば，画像処理の開始を指示するＯＫボタンや，画像処理のキャンセルを指示するキャンセルボタンがある。
【００３９】
また，操作パネル４０は，ＮＦＣ方式による無線通信を受け付けるＮＦＣ読取部４３を有している。ＮＦＣ読取部４３には，ＮＦＣインターフェース３７が設けられており，ＭＦＰ２００は，電源オンの間，ＮＦＣインターフェース３７から発せられる信号によって，ＮＦＣ方式の無線通信が実行可能なデバイスを検出する状態になっている。そのため，例えば，ユーザがモバイルデバイス１００をＮＦＣ読取部４３にかざすと，ＭＦＰ２００はモバイルデバイス１００を検出し，モバイルデバイス１００とＭＦＰ２００との間でＮＦＣ方式による無線通信が自動的に可能になる。なお，モバイルデバイス１００をＮＦＣ読取部４３に「かざす」とは，モバイルデバイス１００をＮＦＣインターフェース３７の通信範囲内に配置する動作であり，モバイルデバイス１００とＮＦＣ読取部４３とが接触していてもいなくてもよい。
【００４０】
また，ＭＦＰ２００は，その上面側に，原稿の自動搬送を行う自動原稿供給装置（以下，「ＡＤＦ１２」とする。自動搬送部の一例）１２を備えている。ＡＤＦ１２の下方には，画像読取部１１を構成するイメージセンサ（図２では不図示）が配置される。さらに，ＡＤＦ１２は，読み取り前の原稿を載置する原稿トレイ１３と，読み取り後の原稿を載置する排紙トレイ１４とを備えている。ＡＤＦ１２は，原稿トレイ１３上に載置された複数枚の原稿を１枚ずつＡＤＦ１２内に搬入し，イメージセンサに原稿の画像を読み取らせた後，その原稿を排紙トレイ１４に排紙する。
【００４１】
また，ＡＤＦ１２は，ＭＦＰ２００の上方に位置するとともに一辺がＭＦＰ２００と接続し，ＭＦＰ２００に対して回動自在に設けられている。そのため，ＡＤＦ２０によってＭＦＰ２００の上面を開閉することができる。つまり，ＡＤＦ２０は，ＭＦＰ２００の上面を覆うカバーを兼ねる。図２は，ＡＤＦ２０を閉じた状態を示している。
【００４２】
図３は，ＡＤＦ２０を開いた状態を示している。ＭＦＰ２００は，その上面に，原稿１枚分の載置台となるフラットベッドガラス１６（原稿台の一例）を備えている。また，ＭＦＰ２００の内部であってフラットベッドガラス１６の下方には，画像読取部１１を構成するイメージセンサ１７を備えており，イメージセンサ１７が副走査方向に移動することにより，フラットベッドガラス１６上に載置された原稿を読み取ることも可能である。以下，ＡＤＦ１２を利用した読み取りを「ＡＤＦ方式」とし，フラットベッドガラス１６を利用した読み取りを「ＦＢ方式」とする。
【００４３】
［モバイルデバイスの構成］
続いて，モバイルデバイス１００の概略構成について説明する。モバイルデバイス１００は，図１に示すように，ＣＰＵ５１と，ＲＯＭ５２と，ＲＡＭ５３と，ＨＤＤ５４とを有する制御部５０を備えている。また，モバイルデバイス１００は，表示機能と入力機能とを兼ねるタッチパネルを有する操作パネル５５と，外部装置との通信を可能にする通信インターフェースとしてＮＦＣインターフェース５７（第１通信部の一例）および無線ＬＡＮインターフェース５８（第２通信部の一例）とを有し，これらが制御部５０によって制御される。
【００４４】
モバイルデバイス１００のＨＤＤ５４には，ＯＳや，インターネット上のファイルを閲覧するためのブラウザ，各種のデバイスを制御するデバイスドライバ等が組み込まれている。また，ＭＦＰ２００に読み取りを指示し，読み取ったイメージデータをＭＦＰ２００から受け取る読取ジョブを受け付けるアプリケーションプログラム（以下，「アプリ２０」とする。受付部の一例）もＨＤＤ５４に記憶されている。
【００４５】
ＣＰＵ５１は，ＲＯＭ５２から読み出した制御プログラムやＨＤＤ５４から読み出したプログラムに従って，その演算結果をＲＡＭ５３またはＨＤＤ５４に記憶させながら各種の処理を行う。上述したアプリ２０の動作も，ＣＰＵ５１によって処理される。
【００４６】
ＮＦＣインターフェース５７は，ＭＦＰ２００のＮＦＣインターフェース３７と同様に，ＮＦＣ方式の無線通信を可能にするインターフェースである。また，無線ＬＡＮインターフェース５８は，ＭＦＰ２００の無線ＬＡＮインターフェース３８と同様に，ＷＦＤ方式の無線通信を可能にするインターフェースである。モバイルデバイス１００は，ＮＦＣインターフェース５７あるいは無線ＬＡＮインターフェース５８を介して外部装置から送信されるデータを受信する。さらに，モバイルデバイス１００は，ＮＦＣインターフェース５７あるいは無線ＬＡＮインターフェース５８を介して外部装置にデータを送信する。
【００４７】
［画像処理システムの動作概要］
続いて，画像処理システム９００の動作概要を，モバイルデバイス１００に組み込まれたアプリ２０の動作を中心に説明する。モバイルデバイス１００は，ユーザからアプリ２０の起動指示を受け付けると，アプリ２０を起動する。
【００４８】
アプリ２０は，図４に示すような，ユーザに読取ジョブを登録させる初期画面２１を表示する。初期画面２１では，ＡＤＦ方式で読み取りを実行する読取ジョブの登録を受け付ける読取ボタン２１１（受付部の一例）と，ＦＢ方式で読み取りを実行する読取ジョブの登録を受け付ける読取ボタン２１２（受付部の一例）とが設けられる。
【００４９】
読取ジョブの登録指示は，読取ボタン２１１あるいは読取ボタン２１２をタッチすることで行われる。読取ジョブが登録されると，モバイルデバイス１００は，ＭＦＰ２００への読取ジョブの受け渡しが可能な状態になる。ユーザが読取ジョブが登録された状態のモバイルデバイス１００をＭＦＰ２００のＮＦＣ読取部４３にかざすと，画像処理システム９００では読取ジョブの実行が開始される。
【００５０】
例えば，ＦＢ方式の読取ジョブの実行が開始されると，先ず，ＭＦＰ２００では原稿のプレスキャンが行われる。プレスキャンは，読み取りが早期に完了できる簡易な読取設定で読み取りを行う処理である。そのプレスキャンでの読取結果がＭＦＰ２００からモバイルデバイス１００に受け渡される。プレスキャンやデータの受け渡しの詳細については後述する。また，以下の説明では，プレスキャンの後であって，読取ジョブに設定された条件で読み取りを行う処理を，「本スキャン」とする。
【００５１】
アプリ２０は，ＭＦＰ２００からモバイルデバイス１００にプレスキャンの読取結果が受け渡されると，図５に示すように，読取結果をユーザに確認させる読取プレビュー画面２２を表示する。読取プレビュー画面２２では，プレスキャンによって取得されるイメージデータを表示する画像表示部２２１と，本スキャンの読取設定を表示する設定表示部２２２と，本スキャンの実行を受け付ける実行ボタン２２３と，読取ジョブの中止を受け付ける中止ボタン２２４と，読取設定の変更を行う画面への切換指示を受け付ける変更ボタン２２５とが設けられる。
【００５２】
アプリ２０は，変更ボタン２２５がタッチされると，図６に示すように，読み取りの読取設定の変更を可能にする読取設定画面２３を表示する。読取設定画面２３では，各種設定の現在の設定内容の表示とその設定内容の変更とを可能にする条件エリア２３１と，変更を許可し，読取プレビュー画面２２への切換指示を受け付けるＯＫボタン２３２とが設けられる。読取設定画面２３での読取設定は，プレスキャン後に行われる本スキャンに反映される。
【００５３】
読取プレビュー画面２２で実行ボタン２２３がタッチされると，モバイルデバイス１００は，ＭＦＰ２００に対して本スキャンの実行指示を送信する。その後，本スキャンでの読取結果をＭＦＰ２００から受け付ける。なお，本スキャンの実行指示が既にＭＦＰ２００に送信され，ＭＦＰ２００で本スキャンが開始されている場合には，本スキャンの実行指示の代わりに本スキャンの読取結果送信指示を送信する。アプリ２０は，モバイルデバイス１００がＭＦＰ２００から本スキャンの読取結果を受信すると，その読取結果の表示が可能になる。本スキャンの読取結果の受け渡しは，ＷＦＤ方式の無線通信によって行われる。
【００５４】
一方，ＡＤＦ方式の読取ジョブの実行が開始されると，先ず，ＭＦＰ２００ではＡＤＦ１２の原稿トレイ１３にセットされている原稿の先頭１枚分の読み取りが行われる。この先頭原稿の読み取りは，原稿トレイ１３にセットされている複数枚の原稿のうちの１枚の原稿を読み取る処理であり，原稿の一部を読み取らせる処理に相当する。その先頭原稿の読み取りでの読取結果がＭＦＰ２００からモバイルデバイス１００に受け渡される。
【００５５】
その後，ＦＢ方式の読取ジョブと同様に，その先頭原稿の読取結果をアプリ２０の読取プレビュー画面２２に表示する。読取プレビュー画面２２の実行ボタン２２３がタッチされると，２枚目以降の原稿（以下，「後続原稿」とする）の読取結果をＭＦＰ２００から受け付ける。アプリ２０は，モバイルデバイス１００がＭＦＰ２００から後続原稿の読取結果を受信すると，その読取結果の表示が可能になる。後続原稿の読取結果の受け渡しは，ＷＦＤ方式の無線通信によって行われる。
【００５６】
［モバイルデバイスおよびＭＦＰの動作概要］
続いて，読取ジョブを実行する際の，モバイルデバイス１００およびＭＦＰ２００の具体的な動作について，ＦＢ方式の読取ジョブの場合と，ＡＤＦ方式の読取ジョブの場合とに分けて説明する。
【００５７】
［ＦＢ方式の読取ジョブ］
［第１の形態］
始めに，ＦＢ方式の読取ジョブを実行する際の動作について，図７のフローチャートを参照しつつ説明する。図７は，モバイルデバイス１００で実行される処理としてスキャン指示処理を，ＭＦＰ２００で実行される処理としてスキャン実行処理を，それぞれ示している。スキャン指示処理は，アプリ２０を介してＦＢ方式の読取ジョブが登録されたことを契機に，ＣＰＵ５１によって実行される。また，スキャン実行処理は，モバイルデバイス１００からハンドオーバー接続要求を受け付けたことを契機に，ＣＰＵ３１によって実行される。
【００５８】
画像処理システム９００では，モバイルデバイス１００に読取ジョブが登録されると，モバイルデバイス１００は，読取ジョブの送信先となるＭＦＰ２００が検出されたか否かを判断する（Ｓ１０１）。本形態では，ユーザがモバイルデバイス１００をＭＦＰ２００のＮＦＣ読取部４３にかざすことで，モバイルデバイス１００とＭＦＰ２００との間でＮＦＣ方式による無線通信が可能になり，ＭＦＰ２００から接続確認が送信される。この接続確認をモバイルデバイス１００が受信した場合にＭＦＰ２００が検出されたと判断する。ＭＦＰ２００が検出されていない間は（Ｓ１０１：ＮＯ），ＭＦＰ２００が検出されるまで待機する。
【００５９】
ＭＦＰ２００が検出されると（Ｓ１０１：ＹＥＳ），モバイルデバイス１００はＭＦＰ２００に対してハンドオーバー接続要求を送信する（Ｓ１０２）。ハンドオーバー接続要求には，プレスキャンの実行指示が付加される。ハンドオーバー接続要求は，ＮＦＣ方式によって送信される。Ｓ１０２の後は，ＭＦＰ２００から送信される応答を待つ。
【００６０】
一方，ＭＦＰ２００は，モバイルデバイス１００からハンドオーバー接続要求を受信すると，スキャン実行処理を開始し（Ｓ１５１），先ず，プレスキャンを実行する（Ｓ１５２，先行読取処理の一例）。プレスキャンでは，フラットベッドガラス１６上にセットされている原稿について，所定の読取設定での読み取りを行う。所定の条件としては，読み取りが早期に完了できる条件であればよく，例えば最低解像度での読み取りや，モノクロでの読み取りが該当する。また，イメージデータを応答しない場合，例えば原稿のサイズを応答する場合には原稿のエッジが認識できればよく，原稿の内容は認識できなくてもよいことから，さらに高速の読み取りが可能である。
【００６１】
Ｓ１５２の後，ＭＦＰ２００は，Ｓ１５２でのプレスキャンの読取結果と，ＷＦＤ方式の接続確立に利用する接続情報と，が含まれる応答を，モバイルデバイス１００に送信する（Ｓ１５３，先行送信処理の一例）。Ｓ１５３の応答も，ＮＦＣ方式の無線通信によって送信される。プレスキャンの読取結果は，読み取ったイメージデータそのものであってもよいし，そのイメージデータを圧縮したサムネイル画像であってもよい。また，非イメージデータであってもよく，原稿の傾き量，カラーかモノクロかの情報，原稿サイズ等の，原稿の特性データであってもよい。本形態では，原稿のイメージデータと特性データとの両方が送信される。
【００６２】
ＭＦＰ２００から応答が送信されると，モバイルデバイス１００は，その応答を受信する（Ｓ１０３，先行受信処理の一例）。そして，その応答に含まれるプレスキャンの読取結果に基づいて，本スキャンでの最適な読取設定を決定する（Ｓ１０４，決定処理の一例）。具体的にＳ１０４では，原稿の傾き量，カラーかモノクロかの情報，原稿サイズ等の，原稿の特性データに基づいて，カラー設定や原稿のサイズを決定する。
【００６３】
Ｓ１０４の後，モバイルデバイス１００は，アプリ２０を介してプレスキャンの読取結果を表示し，ユーザからの本スキャンの実行指示を受け付ける（Ｓ１０６，指示受付処理の一例）。具体的にＳ１０６では，アプリ２０の読取プレビュー画面２２（図５参照）を表示し，画像表示部２２１にプレスキャンの読取結果に含まれるイメージデータを表示し，さらに条件表示部２２２にＳ１０４にて決定された読取設定を表示する（表示処理の一例）。そして，モバイルデバイス１００は，実行ボタン２２３がタッチされた場合に本スキャンの実行指示が受け付けられたと判断し，中止ボタン２２４がタッチされた場合に本スキャンの実行指示が受け付けられなかったと判断する。本スキャンの実行指示が受け付けられなかった場合には（Ｓ１０６：ＮＯ），スキャン指示処理を終了する。
【００６４】
一方，本スキャンの実行指示が受け付けられた場合には（Ｓ１０６：ＹＥＳ），ＭＦＰ２００からの応答に含まれる接続情報を利用して，モバイルデバイス１００とＭＦＰ２００との間でＷＦＤ方式の無線通信を確立させる（Ｓ１０７，Ｓ１５５，確立処理の一例）。すなわち，ＮＦＣ方式からＷＦＤ方式へのハンドオーバーを実現させる。
【００６５】
ＷＦＤ方式の無線通信を確立させた後，モバイルデバイス１００は，本スキャンの実行指示をＭＦＰ２００に送信する（Ｓ１０８，送信処理の一例）。本スキャンの実行指示は，ＷＦＤ方式の無線通信によって送信される。本スキャンの実行指示には，Ｓ１０４で決定した読取設定あるいはその後にユーザによって変更された読取設定が付加される。なお，Ｓ１０７とＳ１０８とは逆順であってもよい。この場合は，ＷＦＤ方式の無線通信が確立される前の段階で本スキャンの実行指示を送信しなければならない。そのため，モバイルデバイス１００は，アプリ２０に，再度モバイルデバイス１００をＭＦＰ２００にかざす旨のメッセージを表示させ，ＮＦＣ方式の無線通信を再確立させた状態でＮＦＣ方式の無線通信によって本スキャンの実行指示を送信する。
【００６６】
ＭＦＰ２００は，モバイルデバイス１００から本スキャンの実行指示を受信すると（Ｓ１５６，受付部の一例），その実行指示に付加された読取設定に従って，本スキャンを実行する（Ｓ１５７，読取処理の一例）。本スキャンを実行した後，ＭＦＰ２００は本スキャンでの読取結果をモバイルデバイス１００に送信する（Ｓ１５８，後続送信処理の一例）。Ｓ１５８では，本スキャンの読取結果として，本スキャンによって得られたイメージデータが送信される。本スキャンの読取結果は，ＷＦＤ方式によって送信される。
【００６７】
モバイルデバイス１００は，ＭＦＰ２００から本スキャンの読取結果を受信すると（Ｓ１０９，後続受信処理の一例），ＭＦＰ２００に対して切断確認を応答し，ＷＦＤ方式の無線通信を切断する（Ｓ１１０，Ｓ１５９）。Ｓ１１０の後，スキャン指示処理を終了する。なお，モバイルデバイス１００は，本スキャンの読取結果を受信した後，アプリ２０を介して本スキャンの読取結果を表示してもよいし，本スキャンの読取結果の受信が完了した旨のメッセージを表示してもよい。一方，Ｓ１５９の後，ＭＦＰ２００は，スキャン実行処理を終了する。
【００６８】
すなわち，第１の形態では，ＮＦＣ方式での無線通信の際に，モバイルデバイス１００がＭＦＰ２００からプレスキャンの読取結果を取得する。そして，本スキャンを開始する前に，モバイルデバイス１００にプレスキャンの結果を表示する。これにより，ユーザは，本スキャンの前に，原稿の読取結果の概要を確認することができ，例えば，誤った原稿がフラットベッド１６上に載置されていた場合や，正しい位置に原稿が載置されていない場合には，ユーザがそのことに気づくことが期待できる。その結果，無駄な本スキャンや無駄なＷＦＤ方式へのハンドオーバーを回避できる可能性が高まる。
【００６９】
なお，第１の形態では，Ｓ１０４での最適な読取設定の決定と，Ｓ１０６での読取結果の表示との，両方を行っているが，どちらか一方であってもよい。例えば，プレスキャンの読取結果として非イメージデータのみを取得する場合には，Ｓ１０６による読取結果の確認を行わず，Ｓ１０４の後はＳ１０７に移行し，Ｓ１０４の読取設定での本スキャンの実行指示を送信してもよい。また，Ｓ１０３の後，Ｓ１０４による最適な読取設定の決定を行わない場合には，Ｓ１０６に移行してプレスキャンでの読取結果を表示し，読取設定の変更をユーザに委ねてもよい。
【００７０】
［第２の形態］
続いて，ＦＢ方式の読取ジョブを実行する際の，他の形態について，図８のフローチャートを参照しつつ説明する。第２の形態では，ＮＦＣ方式での無線通信によって，プレスキャンでの読取結果と，接続情報とを取得した後，ユーザからの本スキャンの実行指示を待たずにＷＦＤ方式へのハンドオーバーおよび本スキャンを実行する。この点，接続情報とプレスキャンの読取結果とを取得した後，ユーザからの本スキャンの実行指示を待ってＷＦＤ方式へのハンドオーバーおよび本スキャンを実行する第１の形態と異なる。
【００７１】
なお，第２の形態では，ＮＦＣ方式での無線通信によって，プレスキャンの読取結果と，ＷＦＤ方式での通信に利用する接続情報とを取得し，さらにプレスキャンの読取結果に基づいて最適な読取設定を決定するまでの処理（モバイルデバイス１００側のＳ１０１〜Ｓ１０４，ＭＦＰ２００側のＳ１５１〜Ｓ１５３）については，第１の形態と同様であり，説明を省略する。
【００７２】
第２の形態では，ＮＦＣ方式での無線通信によって，プレスキャンの読取結果および接続情報を取得し，さらにプレスキャンの読取結果に基づいて最適な読取設定を決定した後，ＭＦＰ２００からの応答に含まれる接続情報を利用して，モバイルデバイス１００とＭＦＰ２００との間でＷＦＤ方式の無線通信を確立させる（Ｓ２０６，Ｓ２５５，確立処理の一例）。ＷＦＤ方式の無線通信を確立させた後，モバイルデバイス１００は，本スキャンの実行指示をＭＦＰ２００に送信する（Ｓ２０７，先行送信処理の一例）。本スキャンの実行指示は，Ｓ２０６で確立させたＷＦＤ方式によって送信されてもよいし，引き続きＮＦＣ方式によって送信されてもよい。Ｓ２０７での本スキャンの実行指示には，Ｓ１０４で決定した読取設定が付加される。なお，Ｓ２０６とＳ２０７とは逆順であってもよいし，同時に開始してもよい。逆順や同時の場合は，ＷＦＤ方式の無線通信が確立される前の段階で本スキャンの実行指示を送信しなければならないため，ＮＦＣ方式によって送信される。
【００７３】
ＭＦＰ２００は，モバイルデバイス１００から本スキャンの実行指示を受信すると（Ｓ２５６），その実行指示に付加された読取設定に従って，本スキャンを実行する（Ｓ２５７，読取処理の一例）。なお，ＭＦＰ２００は，本スキャンの開始後，本スキャンが終了したとしても，モバイルデバイス１００から読取結果の送信指示を受信するまでは，本スキャンの読取結果を送信しない。
【００７４】
一方，モバイルデバイス１００は，Ｓ２０７にて本スキャンの実行指示をＭＦＰ２００に送信した後，アプリ２０を介してプレスキャンの読取結果を表示し，ユーザからの本スキャンの読取結果の送信指示を受け付ける（Ｓ２０８，表示処理，指示受付処理の一例）。具体的にＳ２０８では，実行ボタン２２３がタッチされた場合に読取結果の送信指示が受け付けられたと判断し，中止ボタン２２４がタッチされた場合に読取結果の送信指示が受け付けられなかったと判断する。なお，第２の形態では，Ｓ１０４で決定した読取設定によってＭＦＰ２００で既に本スキャンが開始されているため，読取プレビュー画面２２の変更ボタン２２５を非表示あるいは入力不可とし，ユーザに読取設定を変更させないとよい。
【００７５】
読取結果の送信指示が受け付けられた場合には（Ｓ２０８：ＹＥＳ），モバイルデバイス１００は，本スキャンの読取結果の送信指示をＭＦＰ２００に送信する（Ｓ２０９，後続送信処理の一例）。一方，読取結果の送信指示が受け付けられなかった場合には（Ｓ２０８：ＮＯ），モバイルデバイス１００は，本スキャンの読取結果の削除指示をＭＦＰ２００に送信する（Ｓ２１１）。読取結果の送信指示ないし削除指示は，ＷＦＤ方式の無線通信によって行われる。
【００７６】
ＭＦＰ２００は，モバイルデバイス１００から送信指示ないし削除指示を受信すると（Ｓ２５８，受付部，削除受付部の一例），受信した指示が送信指示か否かを判断する（Ｓ２５９）。送信指示であった場合には（Ｓ２５９：ＹＥＳ），ＭＦＰ２００は本スキャンの読取結果をモバイルデバイス１００に送信する（Ｓ２６０，後続送信処理の一例）。一方，削除指示であった場合には（Ｓ２５９：ＮＯ），ＭＦＰ２００は本スキャンの読取結果を自身のメモリから削除する（Ｓ２６１，削除処理の一例）。
【００７７】
モバイルデバイス１００は，ＭＦＰ２００から本スキャンの読取結果を受信した後（Ｓ２１０，後続受信処理の一例），あるいはＳ２１１にてＭＦＰ２００に削除指示を送信した後，ＭＦＰ２００に対して切断確認を応答し，ＷＦＤ方式の無線通信を切断する（Ｓ２１２，Ｓ２６２）。Ｓ２１２の後，モバイルデバイス１００は，スキャン指示処理を終了する。一方，Ｓ２６２の後，ＭＦＰ２００は，スキャン実行処理を終了する。
【００７８】
すなわち，第２の形態では，第１の形態と同様に，モバイルデバイス１００がＮＦＣ方式での無線通信の際に，プレスキャンの読取結果を取得する。そして，モバイルデバイス１００はプレスキャンの結果を表示する。これにより，ユーザは，原稿の読取結果の概要を早期に確認することができる。また，第２の形態では，プレスキャンの読取結果に基づいて読取設定を決定し，その読取設定に従って自動的に本スキャンを開始する。そのため，ユーザは，原稿の読取結果の概要を確認した後，早期に本スキャンの読取結果を取得できる可能性が高まる。
【００７９】
［第３の形態］
続いて，ＦＢ方式の読取ジョブを実行する際の，さらなる他の形態について，図９のフローチャートを参照しつつ説明する。第３の形態では，ＮＦＣ方式での無線通信によって，プレスキャンの読取結果と，接続情報とを取得した後，ユーザからの本スキャンの実行指示を待たずに本スキャンを実行する。このとき，ＷＦＤ方式へのハンドオーバーは実行しない。この点，ＷＦＤ方式へのハンドオーバーおよび本スキャンを実行する第２の形態と異なる。
【００８０】
なお，第３の形態でも，ＮＦＣ方式での無線通信によって，プレスキャンの読取結果と，接続情報とを取得し，さらにプレスキャンの読取結果に基づいて最適な読取設定を決定するまでの処理（モバイルデバイス１００側のＳ１０１〜Ｓ１０４，ＭＦＰ２００側のＳ１５１〜Ｓ１５３）については，第１の形態と同様であり，説明を省略する。
【００８１】
第３の形態では，ＮＦＣ方式での無線通信によって，プレスキャンの読取結果および接続情報を取得し，さらにプレスキャンの読取結果に基づいて最適な読取設定を決定した後，モバイルデバイス１００は，ＮＦＣ方式での無線通信によって，本スキャンの実行指示をＭＦＰ２００に送信する（Ｓ３０６，先行送信処理の一例）。本スキャンの実行指示にはＳ１０４で決定した読取設定が付加される。
【００８２】
ＭＦＰ２００は，モバイルデバイス１００から本スキャンの実行指示を受信すると（Ｓ３５５），その実行指示に付加された読取設定に従って，本スキャンを実行する（Ｓ３５６，読取処理の一例）。なお，第３の形態でも第２の形態と同様に，ＭＦＰ２００は，モバイルデバイス１００から読取結果の送信指示を受信するまでは，本スキャンの読取結果を送信しない。
【００８３】
モバイルデバイス１００は，本スキャンの実行指示をＭＦＰ２００に送信した後，アプリ２０を介してプレスキャンの読取結果を表示し，ユーザからの本スキャンの実行指示を受け付ける（Ｓ３０７，表示処理，指示受付処理の一例）。
【００８４】
本スキャンの実行指示が受け付けられた場合には（Ｓ３０７：ＹＥＳ），ＭＦＰ２００からの応答に含まれる接続情報を利用して，モバイルデバイス１００とＭＦＰ２００との間でＷＦＤ方式の無線通信を確立させる（Ｓ３０８，Ｓ３５７，確立処理の一例）。その後，モバイルデバイス１００は，本スキャンの読取結果の送信指示をＭＦＰ２００に送信する（Ｓ３０９，後続送信処理の一例）。
【００８５】
一方，本スキャンの実行指示が受け付けられなかった場合には（Ｓ３０７：ＮＯ），モバイルデバイス１００は，本スキャンの読取結果の削除指示をＭＦＰ２００に送信する（Ｓ３１２）。なお，Ｓ３１２ではＷＦＤ方式の接続を確立させないため，例えばＮＦＣ方式の無線通信によって削除指示を送信する。この場合，例えば，アプリ２０に，モバイルデバイス１００をＭＦＰ２００にかざす旨のメッセージを表示させる。Ｓ３１２の後は，スキャン指示処理を終了する。
【００８６】
ＭＦＰ２００は，モバイルデバイス１００から送信指示ないし削除指示を受信すると（Ｓ３５８，受付部，削除受付部の一例），受信した指示が送信指示か否かを判断する（Ｓ３５９）。送信指示であった場合には（Ｓ３５９：ＹＥＳ），ＭＦＰ２００は本スキャンの読取結果をモバイルデバイス１００に送信する（Ｓ３６０，後続送信処理の一例）。一方，削除指示であった場合には（Ｓ３５９：ＮＯ），ＭＦＰ２００は本スキャンの読取結果を自身のメモリから削除する（Ｓ３６１，削除処理の一例）。
【００８７】
モバイルデバイス１００は，ＭＦＰ２００から本スキャンの読取結果を受信した後（Ｓ３１０，後続受信処理の一例），ＭＦＰ２００に対して切断確認を応答し，ＷＦＤ方式の無線通信を切断する（Ｓ３１１，Ｓ３６１）。Ｓ３１１の後，モバイルデバイス１００は，スキャン指示処理を終了する。一方，Ｓ３６１あるいはＳ３６２の後，ＭＦＰ２００は，スキャン実行処理を終了する。
【００８８】
すなわち，第３の形態でも，第１の形態と同様に，モバイルデバイス１００がＮＦＣ方式での無線通信の際に，プレスキャンの読取結果を取得する。そして，モバイルデバイス１００にプレスキャンの結果を表示する。これにより，ユーザは，原稿の読取結果の概要を早期に確認することができる。また，第３の形態では，第２の形態と同様に，プレスキャンの読取結果に基づいて読取設定を決定し，その読取設定に従って自動的に本スキャンを開始する。そのため，ユーザは，早期に本スキャンの読取結果を取得できる可能性が高い。また，第３の形態では，プレスキャンの読取結果をユーザが確認した後にＷＦＤ方式へのハンドオーバーを行うため，無駄にＷＦＤ方式の無線通信を確立させ，他のユーザのＷＦＤ方式の無線通信の利用を妨げることを回避できる。
【００８９】
［ＡＤＦ方式の読取ジョブ］
続いて，ＡＤＦ方式の読取ジョブを実行する際の動作について，図１０のフローチャートを参照しつつ説明する。図１０も，図７と同様に，モバイルデバイス１００側の処理としてスキャン指示処理を，ＭＦＰ２００側の処理としてスキャン実行処理を，それぞれ示している。また，図１０中，図７と同じ処理については同じ符号を付して説明を省略する。
【００９０】
画像処理システム９００では，モバイルデバイス１００に読取ジョブが登録されると，モバイルデバイス１００は，ＭＦＰ２００が検出されたか否かを判断する（Ｓ１０１）。ＭＦＰ２００が検出されていない間は（Ｓ１０１：ＮＯ），ＭＦＰ２００が検出されるまで待機する。
【００９１】
ＭＦＰ２００が検出されると（Ｓ１０１：ＹＥＳ），モバイルデバイス１００は検出されたＭＦＰ２００に対してハンドオーバー接続要求を送信する（Ｓ４０２）。ハンドオーバー接続要求には，ＡＤＦ１２の原稿トレイ１３にセットされている原稿束の先頭１枚分の読取指示が付加される。
【００９２】
一方，ＭＦＰ２００は，モバイルデバイス１００からハンドオーバー接続要求を受信すると，スキャン実行処理を開始する（Ｓ１５１）。そして，ＡＤＦ１２の原稿トレイ１３にセットされている原稿束の，先頭１枚分の読み取りを実行する（Ｓ４５２，先行読取処理の一例）。Ｓ４５２の後，ＭＦＰ２００は，Ｓ４５２での読取結果である先頭原稿の読取結果と，ＷＦＤ方式での通信に利用する接続情報と，が含まれる応答を，モバイルデバイス１００に送信する（Ｓ１５３，先行送信処理の一例）。
【００９３】
ＭＦＰ２００から応答が送信されると，モバイルデバイス１００は，その応答を受信する（Ｓ１０３）。そして，その応答に含まれる先頭原稿の読取結果に基づいて，本スキャンでの最適な読取設定を決定する（Ｓ１０４，決定処理の一例）。
【００９４】
Ｓ１０４の後，モバイルデバイス１００は，アプリ２０を介して先頭原稿の読取結果を表示し，後続原稿のスキャンの実行指示を受け付ける（Ｓ４０６，表示処理，指示受付処理の一例）。後続原稿のスキャンの実行指示が受け付けられなかった場合には（Ｓ４０６：ＮＯ），スキャン指示処理を終了する。
【００９５】
一方，後続原稿のスキャンの実行指示が受け付けられた場合には（Ｓ４０６：ＹＥＳ），ＭＦＰ２００からの応答に含まれる接続情報を利用して，モバイルデバイス１００とＭＦＰ２００との間でＷＦＤ方式の無線通信を確立させる（Ｓ１０７，Ｓ１５５，確立処理の一例）。ＷＦＤ方式の無線通信を確立させた後，モバイルデバイス１００は，後続原稿のスキャンの実行指示をＭＦＰ２００に送信する（Ｓ４０８，送信処理の一例）。この実行指示には，Ｓ１０４で決定した読取設定が付加される。
【００９６】
ＭＦＰ２００は，モバイルデバイス１００から後続原稿のスキャンの実行指示を受信すると（Ｓ１５６，受付部の一例），実行指示に付加された読取設定に従って，２枚目以降の原稿である後続原稿の読み取りを開始する（Ｓ４５７，読取処理の一例）。Ｓ４５７の後，ＭＦＰ２００は後続原稿の読取結果をモバイルデバイス１００に送信する（Ｓ１５８，後続送信処理の一例）。
【００９７】
モバイルデバイス１００は，ＭＦＰ２００から後続原稿の読取結果を受信すると（Ｓ１０９，後続受信処理の一例），ＭＦＰ２００に対して切断確認を応答し，ＷＦＤ方式の無線通信を切断する（Ｓ１１０，Ｓ１５９）。Ｓ１１０の後，モバイルデバイス１００は，スキャン指示処理を終了する。一方，Ｓ１５９の後，ＭＦＰ２００は，スキャン実行処理を終了する。
【００９８】
すなわち，ＡＤＦ方式の読取ジョブの場合には，モバイルデバイス１００がＮＦＣ方式での無線通信の際に，ＭＦＰ２００に対して先頭原稿の読み取りを指示し，原稿１枚分の読取結果を取得する。そして，後続原稿の読み取りを開始する前に，モバイルデバイス１００に先頭原稿の読取結果を表示する。これにより，ユーザは，後続原稿の読み取り前に，原稿の読取結果の概要を確認することができ，例えば，誤った原稿がＡＤＦ１２に載置されていた場合には，ユーザがそのことに気づくことが期待できる。その結果，無駄な後続原稿の読み取りや無駄なＷＦＤ方式へのハンドオーバー回避できる可能性が高まる。
【００９９】
なお，上述のＡＤＦ方式の読取ジョブの説明では，ＡＤＦ方式の読取ジョブをＦＢ方式の読取ジョブの第１の形態に適用しているが，第２の形態や第３の形態に適用してもよい。すなわち，ＡＤＦ方式の読取ジョブでは，先頭原稿の読み取りがプレスキャンに相当し，後続原稿の読み取りが本スキャンに相当する。
【０１００】
以上詳細に説明したように実施の形態の画像処理システム９００では，近距離通信であるＮＦＣ方式の無線通信時に，ＷＦＤ方式の無線通信へのハンドオーバーに必要な接続情報の受け渡しに加え，プレスキャンあるいは先頭原稿の読取結果も受け渡す。この先行読取処理の読取結果を，遠距離通信であるＷＦＤ方式の無線通信によって本スキャンあるいは後続原稿の読取結果を送信する前にモバイルデバイス１００に送信することで，ユーザはＭＦＰ２００での読取結果を早期に確認できる。
【０１０１】
なお，本実施の形態は単なる例示にすぎず，本発明を何ら限定するものではない。したがって本発明は当然に，その要旨を逸脱しない範囲内で種々の改良，変形が可能である。例えば，ジョブを入力する情報処理装置は，無線通信が可能であり，読取装置を制御する機能を備えるものであればよく，モバイルデバイス１００としては，スマートフォン，タブレットＰＣ等が適用可能である。また，読取装置は，読取機能を備えるものであればよく，ＭＦＰ２００の他，コピー機，スキャナ，ＦＡＸ装置であってもよい。
【０１０２】
また，実施の形態では，近距離通信としてＮＦＣ方式を，遠距離通信としてＷＦＤ方式を採用し，ＮＦＣ方式からＷＦＤ方式へのハンドオーバーを行っているが，ハンドオーバーを実現する通信方式はこれらに限るものでなない。すなわち，通信距離が異なる２つの通信方式であればよく，他の通信方式としては，例えば，Bluetooth（登録商標），TransferJet，アクセスポイント経由で通信を行う非ダイレクトのＷｉＦｉであってもよい。
【０１０３】
また，実施の形態では，モバイルデバイス１００からのハンドオーバー接続要求を受けて，ＭＦＰ２００がプレスキャンあるいは先頭原稿の読み取りを行っているが，これらの先行読取処理の実行タイミングはこれに限るものではない。すなわち，ＮＦＣ方式の無線通信時に先行読取処理の読取結果を応答できればよく，原稿がセットされるタイミング等，ハンドオーバー接続要求を受け付ける前から先行読取処理を実行してもよい。
【０１０４】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【０１０５】
２０    アプリケーションプログラム（アプリ）
３７，５７  ＮＦＣインターフェース
３８，５８  無線ＬＡＮインターフェース
１００  モバイルデバイス
２００  ＭＦＰ
【図１】
2014086985.tif 000003
【図２】
2014086985.tif 000004
【図３】
2014086985.tif 000005
【図４】
2014086985.tif 000006
【図５】
2014086985.tif 000007
【図６】
2014086985.tif 000008
【図７】
2014086985.tif 000009
【図８】
2014086985.tif 000010
【図９】
2014086985.tif 000011
【図１０】
2014086985.tif 000012